(57)【要約】【課題】スイングの基本動作を意識しやすくし、短期間に理想的なゴルフスイングを身につけることができるゴルフスイング矯正器具を提供する。【解決手段】縦材１１は、使用者の頭部と背骨と尾てい骨とに当接可能に直線状に伸びている。横材１２は、縦材１１を使用者の頭部と背骨と尾てい骨とに当接させたとき、使用者の両方の肩甲骨に当接するよう縦材１１に設けられている。胴部ベルトは、縦材１１に取り付けられ、縦材１１を使用者の頭部と背骨と尾てい骨とに当接させた状態で使用者の胴部に取り付け可能である。肩部ベルト１５は、横材１２に取り付けられ、横材１２を使用者の両方の肩甲骨に当接させた状態で使用者の両方の肩部に取り付け可能である。【選択図】図１
2004229754.tif 000002
【特許請求の範囲】
【請求項１】
使用者の頭部と背骨と尾てい骨とに当接可能に直線状に伸びる縦材と、
前記縦材を使用者の頭部と背骨と尾てい骨とに当接させたとき使用者の両方の肩甲骨に当接するよう前記縦材に設けられた横材と、
前記縦材に取り付けられ、前記縦材を使用者の頭部と背骨と尾てい骨とに当接させた状態で使用者の胴部に取り付け可能な胴部ベルトと、
前記横材に取り付けられ、前記横材を使用者の両方の肩甲骨に当接させた状態で使用者の両方の肩部に取り付け可能な１対の肩部ベルトとを、
有することを特徴とするゴルフスイング矯正器具。
【発明の詳細な説明】
【０００１】
【発明の属する技術分野】
本発明は、ゴルフスイング矯正器具に関する。
【０００２】
【従来の技術】
従来のゴルフスイングの練習装置として、ゴルフクラブの通過を検出した時、予め入力して記憶させたゴルフスイングにおける注意点やスイング方法を再生し、音声で出力してプレーヤーの潜在意識に植えつけるものがある（例えば、特許文献１参照）。また、左右股関節部を設定せる基板上に、人体の骨盤を想定した矩形状の可動板を設け、可動板の両端に右股関節部および左股関節部に対応する支軸を嵌着し、基板に各支軸が回転移動する孔を形成して、ゴルフスイングの正しい姿勢である腰の動き及び肩の動きを見ながら練習できるものがある（例えば、特許文献２参照）。
【０００３】
【特許文献１】
特開平９−４７５３５号公報
【特許文献２】
特開平８−２７６０４２号公報
【０００４】
【発明が解決しようとする課題】
しかしながら、従来のゴルフスイングの練習装置では、目や耳から入ってくる情報に基づいてプレーヤー自身が試行錯誤して矯正するため、スイングの基本動作の感覚がつかみにくく、スイング毎にフォームが変わるなどして、短期間に理想的なゴルフスイングを身につけることが困難であるという課題があった。
【０００５】
本発明は、このような従来の課題に着目してなされたもので、スイングの基本動作を意識しやすくし、短期間に理想的なゴルフスイングを身につけることができるゴルフスイング矯正器具を提供することを目的としている。
【０００６】
【課題を解決するための手段】
上記目的を達成するために、本発明に係るゴルフスイング矯正器具は、使用者の頭部と背骨と尾てい骨とに当接可能に直線状に伸びる縦材と、前記縦材を使用者の頭部と背骨と尾てい骨とに当接させたとき使用者の両方の肩甲骨に当接するよう前記縦材に設けられた横材と、前記縦材に取り付けられ、前記縦材を使用者の頭部と背骨と尾てい骨とに当接させた状態で使用者の胴部に取り付け可能な胴部ベルトと、前記横材に取り付けられ、前記横材を使用者の両方の肩甲骨に当接させた状態で使用者の両方の肩部に取り付け可能な１対の肩部ベルトとを、有することを特徴とする。
【０００７】
本発明に係るゴルフスイング矯正器具で、胴部ベルトは１つであっても、複数であっても良い。胴部ベルトおよび肩部ベルトは、使用者に合わせて長さ調節が可能であることが好ましい。
【０００８】
本発明に係るゴルフスイング矯正器具は、使用の際、１対の肩部ベルトを両方の肩部に取り付け、横材を両方の肩甲骨に当接させる。胴部ベルトを使用者の胴部に取り付け、縦材を使用者の頭部と背骨と尾てい骨とに当接させる。この状態で、縦材が頭部と背骨と尾てい骨とに常に密着し、横材が両方の肩甲骨に常に密着していることを確認しながら、ゴルフのスイングの基本動作を行う。
【０００９】
ゴルフのスイングの基本動作は、背骨を中心とした軸回転により捻転を生じさせ、反動でゴルフクラブを振ることにある。この際、上半身を固定させることが重要である。本発明に係るゴルフスイング矯正器具を用いることにより、上半身の固定と、背骨を中心とした軸回転とを意識しやすくなる。本発明に係るゴルフスイング矯正器具を用いて基本動作を反復練習することにより、短期間で理想的なゴルフスイングを身に付けることができる。
【００１０】
【発明の実施の形態】
以下、図面に基づき、本発明の実施の形態について説明する。
図１乃至図４は、本発明の実施の形態を示している。
図１に示すように、ゴルフスイング矯正器具１０は、縦材１１と横材１２と第１胴部ベルト１３と第２胴部ベルト１４と、１対の肩部ベルト１５とを有している。
【００１１】
縦材１１は、丸棒から成り、使用者１の頭部２と背骨３と尾てい骨４とに当接可能な長さを有し、直線状に伸びている。横材１２は、丸棒から成り、使用者１の両方の肩甲骨５に当接可能な長さを有している。横材１２は、中央部で縦材１１に対し直角をなすよう十字状に交わって縦材１１に一体的に設けられている。横材１２は、縦材１１を使用者１の頭部２と背骨３と尾てい骨４とに当接させたとき、使用者１の両方の肩甲骨５に当接するよう縦材１１に設けられている。
【００１２】
第１胴部ベルト１３および第２胴部ベルト１４は、縦材１１に対し直角方向に延びるように取り付けられている。第１胴部ベルト１３は、第２胴部ベルト１４より縦材１１の上端側に取り付けられ、縦材１１を使用者１の頭部２と背骨３と尾てい骨４とに当接させた状態で、使用者１の胸部６に取り付け可能である。第２胴部ベルト１４は、第１胴部ベルト１３より縦材１１の下端側に取り付けられ、縦材１１を使用者１の頭部２と背骨３と尾てい骨４とに当接させた状態で、使用者１の腰部７に取り付け可能である。第１胴部ベルト１３および第２胴部ベルト１４は、それぞれ両端にバックル１３ａ，１４ａまたはトング１３ｂ，１４ｂが取り付けられており、使用者１の体の正面側で長さ調節および着脱が可能である。第１胴部ベルト１３および第２胴部ベルト１４を使用者１の胸部６および腰部７（胴部）に取り付けることにより、縦材１１を使用者１の頭部２と背骨３と尾てい骨４とに当接させた状態で保持することができる。
【００１３】
１対の肩部ベルト１５は、横材１２の両端部に取り付けられている。各肩部ベルト１５は、横材１２を使用者１の両方の肩甲骨５に当接させた状態で、使用者１の両方の肩部８にそれぞれ取り付け可能である。各肩部ベルト１５は、それぞれ両端に面ファスナーのフックテープ側１５ａまたはループテープ側１５ｂが取り付けられており、使用者１の体の正面側で長さ調節および着脱が可能である。各肩部ベルト１５を使用者１の両方の肩部８にそれぞれ取り付けることにより、横材１２を使用者１の両方の肩甲骨５に当接させた状態で保持することができる。
【００１４】
次に、作用について説明する。
図２に示すように、ゴルフスイング矯正器具１０は、使用の際、１対の肩部ベルト１５を、輪になった肩部ベルト１５に腕を通すようにして締め、両方の肩部８に取り付ける。このとき、横材１２を両方の肩甲骨５に当接させる。第１胴部ベルト１３および第２胴部ベルト１４を締めて、それぞれ使用者１の胸部６および腰部７に取り付ける。このとき、縦材１１を使用者１の頭部２と背骨３と尾てい骨４とに当接させる。この状態で、縦材１１が頭部２と背骨３と尾てい骨４とに常に密着し、横材１２が両方の肩甲骨５に常に密着していることを確認しながら、ゴルフのスイングの基本動作を行う。
【００１５】
ゴルフのスイングの基本動作は、背骨３を中心とした軸回転により捻転を生じさせ、反動でゴルフクラブを振ることにある。この際、上半身を固定させることが重要である。ゴルフスイング矯正器具１０を用いることにより、上半身の固定と、背骨３を中心とした軸回転とを意識しやすくなる。
【００１６】
すなわち、図３（Ａ）〜（Ｇ）および図４（Ａ），（Ｂ）に示すように、ゴルフスイング矯正器具１０を用いてスイングをするとき、縦材１１が頭部２と背骨３と尾てい骨４とに常に密着していることを意識し、横材１２が両方の肩甲骨５に常に密着していることを意識しながら、スイングを行う。ゴルフスイング矯正器具１０により上半身が固定され、背骨３を中心とした軸回転の動きでスイングがなされるため、スイング動作の開始（図３（Ａ）参照）から終わり（図３（Ｇ）参照）まで常に基本動作に忠実なゴルフのスイングを行うことができる。このため、ゴルフスイング矯正器具１０を用いて一連の基本動作を意識して反復練習することにより、短期間で理想的なゴルフスイングを身に付けることができる。
【００１７】
なお、縦材１１および横材１２は、丸棒により構成するほか、板材により構成してもよい。また、縦材１１および横材１２は、人の頭部２から背骨３、尾てい骨４にかけての形状に合わせて湾曲させてあってもよい。さらに、縦材１１または横材１２に所定の大きさ以上の圧力が加わったことを検出するセンサと、このセンサの検出に応じて音声、光または刺激等を発する出力手段とが設けられていてもよい。この場合、複数のセンサが縦材１１および横材１２の所定のポイントに設けられて、出力手段がそのポイントの位置を知らせる音声、光または刺激等を発するようになっていてもよい。また、第１胴部ベルト１３および第２胴部ベルト１４の代わりに、１つの胴部ベルトを用いてもよい。その他、縦材１１、横材１２、第１胴部ベルト１３、第２胴部ベルト１４および肩部ベルト１５の構成には、適宜、変更が可能である。
【００１８】
【発明の効果】
本発明によれば、スイングの基本動作を意識しやすくし、短期間に理想的なゴルフスイングを身につけることができるゴルフスイング矯正器具を提供することができる。
【図面の簡単な説明】
【図１】本発明の実施の形態のゴルフスイング矯正器具を示す正面図である。
【図２】図１のゴルフスイング矯正器具を使用者に取り付けた状態を示す（Ａ）背面図、（Ｂ）側面図である。
【図３】図１のゴルフスイング矯正器具を取り付けてスイングする動作を（Ａ）から（Ｇ）まで順に示す説明図である。
【図４】図１のゴルフスイング矯正器具を取り付けてスイングしている状態を図３に示す角度と異なる角度で示す説明図である。
【符号の説明】
１  使用者
２  頭部
３  背骨
４  尾てい骨
５  肩甲骨
６  胸部
７  腰部
８  肩部
１０  ゴルフスイング矯正器具
１１  縦材
１２  横材
１３  第１胴部ベルト
１４  第２胴部ベルト
１５  肩部ベルト
【図１】
2004229754.tif 000003
【図２】
2004229754.tif 000004
【図３】
2004229754.tif 000005
【図４】
2004229754.tif 000006